【事件の表示】
　特願２００１−３２３２５６「電子スプレッドシートにおいてコピー元セル範囲を１つまたは複数のコピー先セル範囲に持続的にコピー貼付けする方法」拒絶査定不服審判事件〔平成１４年　５月２４日出願公開、特開２００２−１５０２０９〕について、次のとおり審決する。
【結　論】
　本件審判の請求は、成り立たない。
【理　由】
１．手続の経緯 
　本願は、平成１３年１０月２２日（パリ条約による優先権主張：２０００年１０月２４日、欧州特許庁）の出願であって、平成１５年１０月２２日付けで拒絶査定がされ、これに対し、平成１６年１月１６日に拒絶査定不服審判の請求がなされ、その後当審において平成１９年５月１８日付けで拒絶の理由が通知され、同年８月１８日付けで手続補正がなされたものである。 
 　 
２．本願発明 
　本願の請求項１に係る発明は、平成１９年８月１８日付けの手続補正書により補正された明細書及び図面の記載からみて、その特許請求の範囲の請求項１に記載された次のとおりのものと認める。（以下、「本願発明」という。） 
 　 
 「【請求項１】
　各次元に沿ったセル・アドレスによって識別される複数のセルを含み、セル範囲が１つまたは複数のセルを含む多次元スプレッドシートにおいて、コピー元セル範囲の内容を１つまたは複数のコピー先セル範囲に持続的にコピーおよび貼付けする方法であって、
　　システムが、ユーザ・インターフェースを介して受け取ったユーザ入力に応答して、コピー元セル範囲を選択するステップと、
　　システムが、ユーザ・インターフェースを介して受け取ったユーザ入力に応答して、メモリから持続的コピーコマンドを呼び出し、当該持続的コピーコマンドを実行して、選択された前記コピー元セル範囲の内容をバッファにコピーするステップと、　を含む持続的コピー操作を行うステップと、
　　システムが、ユーザ・インターフェースを介して受け取ったユーザ入力に応答して、１つまたは複数のコピー先セル範囲を選択するステップと、
　　選択された各コピー先セル範囲について、
　　システムが、ユーザ・インターフェースを介して受け取ったユーザ入力に応答して、メモリから持続的貼付けコマンドを呼び出し、当該持続的貼付けコマンドを実行して、前記バッファにコピーされた内容を選択された前記コピー先セル範囲にコピーするステップと、
　　システムが、前記持続的貼付けコマンドの実行により前記コピー元セル範囲を前記コピー先セル範囲に関連づけるステップと、を含む持続的貼付け操作を行うステップと、
　　システムが、前記コピー元セル範囲の内容が更新されるたびにメモリから自動持続コピー貼付けコマンドを呼び出し、当該自動持続コピー貼付けコマンドを実行して、前記コピー元セル範囲が１つまたは複数のコピー先セル範囲に関連づけられているか否かを判断するステップと、
　　前記判断するステップにおいて、前記コピー元セル範囲が１つまたは複数のコピー先セル範囲に関連づけられている場合、システムが、前記自動持続コピー貼付けコマンドの実行により前記コピー元セル範囲の内容を前記１つまたは複数の関連づけられたコピー先セル範囲にコピーするステップと、
　を含む前記コピー元セル範囲の内容が更新されるたびにコピー操作を自動的に行うステップとを含む、方法。」 
 　 
３．当審の拒絶理由 
　一方、当審において平成１９年５月１８日付けで通知した拒絶の理由の概要は、理由１として、「本件出願の請求項１〜７に係る発明は、その出願前日本国内又は外国において頒布された下記の刊行物１〜３に記載された発明に基づいて、その出願前にその発明の属する技術の分野における通常の知識を有する者が容易に発明をすることができたものであるから、特許法第２９条第２項の規定により特許を受けることができない。」というものであり、理由２として、「本件出願は、明細書及び図面の記載が不備のため、特許法第３６条第６項第１，２号に規定する要件を満たしていない。 」というものである。
 　　　　　　　　　　　　　　　　　記 
（刊行物１）特開平８−１６５５７号公報 
（刊行物２）牧村あきこ、「活用術　エクセルＶＢＡ編　記録したマクロを編集する！」、日経ＰＣ２１、日経ＢＰ社、２０００年６月１日、第５巻、第１１号、 
 ｐ．１４４−１４８ 
（刊行物３）栗山恵吉　外２名、「Ｅｘｃｅｌ２０００ＶＢＡ　実践プログラミングリファレンス」、第１版、エーアイ出版株式会社、２０００年８月２０日、 
 ｐ．７９−８６ 
 　 
４．引用文献 
［引用文献１］
　そこで、上記拒絶の理由に引用された、特開平８−１６５５７号公報（以下、「引用文献１」という。）の記載を検討するに、引用文献１には、図面と共に次の事項が記載されている。 
（ア）「【請求項１】データ配置領域毎にそれぞれ固有の書式情報を設定する書式設定手段と、
複写元領域として指定されたデータ配置領域とこの領域内容が書式情報と共に複写された複写先のデータ配置領域とを対応付けてグループ化するグループ指定手段と、
あるデータ配置領域の書式情報が修正された際に、前記グループ指定手段によって指定された当該領域のグループに属する各データ配置領域を検出する検出手段と、
この検出手段によって検出された各データ配置領域の書式情報を前記修正された書式情報に合わせてそれぞれ修正する書式修正手段と、
を具備したことを特徴とするデータ処理装置。」
　
（イ）「【０００１】
【産業上の利用分野】この発明は、ワードプロセッサやパーソナルコンピュータ等のデータ処理装置に関する。」 
 　 
（ウ）「【０００３】
【発明が解決しようとする課題】ところで、予め指定された文書配置領域毎にそれぞれ固有の書式情報を設定するものにおいて、複写元領域あるいは何れか１つの複写先領域の書式情報を修正した際には、文書全体のバランス等の関係で、複写元／複写先の関係にある各領域の書式情報もそれぞれ同様に修正する作業を領域毎にそれぞれ別個に行う必要がある。このように複写元／複写先の関係にある全ての領域についてその書式を修正する作業を別個に行うことは、多くの時間と手間がかかる他、修正ミスのおそれもある等の欠点があった。この発明の課題は、データ配置領域毎に設定されている書式情報を修正する場合において、複写元／複写先の関係にある各領域のうちその何れか１つの領域の書式を修正するだけで複写元／複写先の関係にある他の全ての領域の書式も同様に一括修正できるようにすることである。
【０００４】
【課題を解決するための手段】この発明の手段は次の通りである。
（１）、書式設定手段はデータ配置領域毎にそれぞれ固有の書式情報を設定する。
（２）、グループ指定手段は複写元領域として指定されたデータ配置領域とこの領域内容が書式情報と共に複写された複写先のデータ配置領域とを対応付けてグループ化するもので、例えば、複写元／複写先の関係にある各領域を使用者が順次指定することによってグループ化してもよいが、ある領域内容を複写する毎に、複写元領域と複写先領域とを対応付けるグループ情報を自動的に設定することによってグループ化するようにしてもよい。ここで、グループ情報としては、予め複写元領域に割り当てられている領域識別子（例えば、領域No）であってもよく、この領域識別子を複写先領域に対応付けて設定することによりグループ化するようにしてもよい。
（３）、検出手段はあるデータ配置領域の書式情報が修正された際に、前記グループ指定手段によって指定された当該領域のグループに属する各データ配置領域を検出する。
（４）、書式修正手段はこの検出手段によって検出された各データ配置領域の書式情報を前記修正された書式情報に合わせてそれぞれ修正する。
【０００５】
【作用】この発明の手段の作用は次の通りである。いま、複写元領域と複写先領域とが例えばグループ情報によってリンクされている状態において、ある領域の書式情報が修正されると、グループ情報に基づいて当該領域のグループに属する各領域が検出されると共に、検出された各領域の書式情報が修正された書式情報に合わせてそれぞれ修正される。したがって、データ配置領域毎に設定されている書式情報を修正する場合において、複写元／複写先の関係にある各領域のうちその何れか１つの領域の書式を修正するだけで複写元／複写先の関係にある他の全ての領域の書式も同様に一括修正することができる。」 
 　 
（エ）「【０００８】ここで、プログラムメモリ３内の領域複写プログラムは、入力部１から領域複写が指示された際に起動されるもので、ＣＰＵ３は複写元として指定された文書配置領域の内容（実データ）を複写先にそのままコピーする。その際、複写先毎に新たな領域位置データを作成するが、この新たな領域位置データ内のグループNoは複写元の領域Noとなる。つまり、予め複写元領域に割り当てられていた領域NoがグループNoとして各複写先領域に対応付けて設定され、これによって複写元領域と各複写先とがグループ化される。また、プログラムメモリ４内の書式修正プログラムは領域書式を修正するために入力部１からその修正指令が入力された際に起動されるもので、ＣＰＵ３は指定領域の書式データを通常と同様に入力データにしたがって修正する他に、本実施例においてはこの書式修正プログラムにしたがって当該領域のグループに属する他の各領域の書式データも同様に一括修正するようにしている。
【０００９】次に本実施例の動作を説明する。図３は入力部１から領域複写指令が入力された際に領域複写プログラムにしたがって実行される動作を示したフローチャートであり、図４はその処理過程に応じて変遷する表示画面例である。いま、図２で示したようにテキストメモリ７−１内の領域位置データおよび実データに基づいてテキスト画面に、２つの領域が表示されているものとする（図２（Ａ）参照）。ここで、領域複写指令を与えると、図３のフローチャートにしたがって領域複写処理が実行開始される。先ず、図４（Ａ）に示すように複写元の領域を指定すべき旨のガイド表示が行われる（ステップＡ１）。この状態においてカーソル（図中、＋）を移動させて複写元の領域の左上位置に合わせ（図４（Ｂ）参照）、実行キーを押すと（ステップＡ２）、図４（Ｃ）に示すように複写元領域として選択された領域全体を反転表示させる（ステップＡ３）。
【００１０】次に、図４（Ｄ）に示すように複写先を指定すべき旨のガイド表示が行われる（ステップＡ４）。ここで、カーソルを移動して複写先の左上位置を指定し、実行キーを操作すると（ステップＡ５）、領域Noが更新される（ステップＡ６）。この場合、図２で示したようにテキストメモリ７−１内の最終領域Noは「１」であるから次の領域Noを指定するために領域Noは「２」に更新される。次に、複写先領域の領域位置データを作成する（ステップＡ７）。即ち、領域位置データの先頭にステップＡ５で更新した領域Noをセットし、次に複写先の左上位置として指定された左上Ｘ座標、左上Ｙ座標をセットする。そして、複写元の領域位置データから左上ＸＹ座標、右下ＸＹ座標を読み込み、これらの各座標値から複写元領域のＸ方向のサイズ、Ｙ方向のサイズを求める。即ち、、右下Ｘ座標から左上Ｘ座標を減算した値（絶対値）がＸサイズとなり、右下Ｙ座標から左上Ｙ座標を減算した値（絶対値）がＹサイズとなる。このようにして求めたＸサイズ、Ｙサイズを複写先の左上ＸＹ座標に加算することによって複写先の右下Ｘ座標、右下Ｙ座標を求めてそれぞれセットする。次に、テキストメモリ７−１をアクセスし、複写先の実データを格納する実データアドレスを求めてセットすると共に、複写元の領域位置データからグループNoを読み出してこれを複写先のグループNoとしてセットする。これによって図５に示すような領域No「２」についての領域位置データが作成される。
【００１１】このようにして複写先の領域位置データを作成すると、複写元の書式データおよび文書データに基づいて複写先の実データを作成してテキストメモリ７−１に格納する（ステップＡ８）。つまり、複写元の実データをそのままテキストメモリ７−１内の複写先の実データアドレス位置にコピーする。次に図４（Ｅ）に示すように領域複写を終了するかのガイド表示が行われる（ステップＡ９）。ここで、「ＹＥＳ」キーが操作された場合には領域複写処理の終了となるが、「ＮＯ」キーが操作された場合にはステップＡ１０からステップＡ４に戻り、以下、次の複写先についても上述と同様の処理が行われる。図４（Ｆ）、（Ｇ）、（Ｈ）、（Ｉ）は同じ複写元領域を繰り返して複写する場合の処理過程を示している。この場合、複写元領域は反転表示されたままとなっており、図４（Ｆ）は「ＮＯ」キーを操作した際の表示画面、図４（Ｇ）は次の複写先位置にカーソルを移動させた際の表示画面、図４（Ｈ）は実行キーを操作した際の表示画面、図４（Ｉ）は「ＹＥＳ」キーを操作した際の表示画面を示している。
【００１２】これによって図５に示すようにテキストメモリ７−１内には、領域No「１」の領域を複写元として２回繰り返し複写することにより領域No「２」、「３」の領域が複写先領域として格納される。この場合、グループNoは領域No「１」、「２」、「３」の領域ともそれぞれ「１」となり、各領域は複写元／複写先の関係にある同一グループに属していることを示している。」 
 　 
（オ）「【００１４】次に、領域書式を修正する場合の動作を図７〜図１０を参照して説明する。いま、ある領域の書式データを修正するために入力部１からその修正指令を入力すると、ＣＰＵ３は書式修正プログラムを起動させて領域書式修正処理を実行する。図７はこの領域書式修正処理を示したフローチャートであり、図９はその処理過程に応じて変遷する表示画面である。ここで、図５で示した内容がテキストメモリ７−１に格納されているものとする。先ず、図９（Ａ）に示すように書式を修正する領域を指定すべき旨のガイド表示が行われる（ステップＢ１）。ここで、カーソルを移動させて領域の左上位置に合わせ、実行キーを操作する（ステップＢ２）。図９（Ｂ）は複写元を書式修正領域として指定した場合を示している。すると、ＣＰＵ３はテキストメモリ７−１から選択領域の書式データを取り込み（ステップＢ３）、図９（Ｃ）に示すように「書式修正入力画面」をウィンドゥ表示させると共に、選択領域および選択領域と同一のグループNoを有する他の領域を区別表示するために網かけ表示させる（ステップＢ４）。いま、複写元が書式修正領域として選択された場合であるから、このグループNo「１」でテキストメモリ７−１内の領域位置データを検索し、同一グループNoを持った領域No「２」、「３」の各複写先領域が複写元領域と共にそれぞれ網かけ表示される。
【００１５】次に、書式修正を入力画面上で任意の書式項目を指定してその書式データを修正し、実行キーを操作する（ステップＢ５）。図９（Ｄ）は修正すべき書式項目として「書体」を選択指定し、図９（Ｅ）は書体を「明朝体」から「丸ゴシック体」に修正した場合を示している。これによって領域No「１」の複写元領域の書式データはその書式項目の内容が図１０に示すように明朝体から「０１（丸ゴシック体）」に修正される。
【００１６】このようにして選択領域の書式データを１項目分修正し終ると、次のステップＢ６に進み、この選択領域と同一グループに属する他の領域についてもその書式データを同様に一括修正する処理に移る（ステップＢ６）。図８はステップＢ６の一括修正処理を詳細に示したフローチャートである。先ず、ＣＰＵ３はテキストメモリ７−１から書式修正された領域のグループNoを取り込む（ステップＣ１）。この場合、複写元領域のグループNo「１」が取り込まれる。次に、テキストメモリ７−１内の領域位置データをその先頭から順次指定するために、図示しない領域Noポインタに「０」をセットする（ステップＣ２）。そして、書式修正領域のグループNoと、領域Noポインタで指定される指定領域のグループNoとを比較するが（ステップＣ３）、この場合、先ず、最初に指定された領域は領域No「０」の領域であり、図１０に示すようにその領域に対するグループNoは「０」、したがって、書式修正領域のグループNo「１」との不一致がステップＣ４で検出される。すると、領域Noポインタに「１」を加算することによって指定領域の更新が行われる（ステップＣ６）。その結果、指定領域が最終領域でないことを条件に（ステップＣ７）、再び書式修正領域のグループNoと指定領域のグループNoとを比較する処理に戻る（ステップＣ３）。
【００１７】ここで、指定領域は領域No「１」の書式修正領域となり、当然、グループNoの一致が検出されるが、ステップＣ４は書式修正領域と同一のグループNoを持った他の領域を検出するもので、指定領域Noと書式修正領域Noとが相違していることを前提に、グループNoの一致を検出する。したがって、この場合には次の領域を指定するためにステップＣ４からステップＣ６に移る。次に、領域No「２」の複写先領域が指定されると、この指定領域は書式修正領域と同一のグループNoを持った他の領域であるため、ステップＣ４でグループNoの一致が検出されてステップＣ５に進み、修正書式項目の内容を指定領域の対応する書式項目にコピーする。この結果、図１０に示すように領域No「２」の書式データのうち、その書体項目の内容が複写元の書体項目と同様に「丸ゴシック体」に修正される。そして、次の領域No「３」が指定されると、この複写先領域についてもその書体項目の内容が複写元に合わせて「丸ゴシック体」に修正されることは上述の場合と同様である。
【００１８】このような一括修正処理が終ると、図７のステップＢ７に進み、書式修正を修正するかのガイド表示が行われる（図９（Ｆ）参照）。ここで、他の書式項目の内容も連続的に修正する場合には「ＮＯ」キーを操作する。すると、ステップＢ４に戻り、以下、指定項目の書式が上述と同様に修正されるが、書式修正を終了する場合には「ＹＥＳ」キーを操作する。図９（Ｇ）は「ＹＥＳ」キーを操作したのちの表示画面である。なお、図９（Ｆ）、（Ｇ）の表示画面上では「高学歴」、「高収入」、「高身長」が入力されている各領域について、その書体が明朝体から丸ゴシック体に修正されたものとなっている。
【００１９】以上のように本実施例においては、領域複写が行われる毎に、複写元領域と複写先領域とを対応付けてグループ化しておき、後で、複写元領域の書式データが修正されると、各複写先領域の書式データも複写元と同様の書式に一括修正される。このことは、ある複写先領域の書式データを修正した場合も同様であり、この書式修正に基づいて領域元および他の複写先領域の書式データも一括修正される。つまり、複写元／複写先の関係にある各領域をグループ化しておくことで、後で、グループ内に属する何れかの領域の書式データが修正された場合には、同一グループに属する他の全ての領域についてその書式データの一括修正が行われる。」 
 　 
　引用文献１の上記摘記事項（エ）における「この状態においてカーソル（図中、＋）を移動させて複写元の領域の左上位置に合わせ（図４（Ｂ）参照）、実行キーを押す」（第【０００９】段落記載。）は、複写元領域を選択するために使用者がデータ処理装置に対して行う操作を記載したものであるが、この操作に対応して、データ処理装置では、入力部１を介して受け取った使用者の入力に応答して、複写元領域を選択する動作が行われると認められる。
　同様に、引用文献１の上記摘記事項（エ）における「ここで、カーソルを移動して複写先の左上位置を指定し、実行キーを操作する」（第【００１０】段落記載。）操作に対応して、データ処理装置では、入力部１を介して受け取った使用者の入力に応答して、複写先領域を選択する動作が行われると認められる。
　
　上記摘記事項（ア）乃至（オ）の記載および図面を総合すると、引用文献１には、 
　「ワードプロセッサやパーソナルコンピュータ等のデータ処理装置において、複写元領域として指定されたデータ配置領域の書式を修正するだけで複写元／複写先の関係にある複写先領域の書式も同様に一括修正する方法であって、
　入力部から使用者による領域複写指令が入力された際に実行される領域複写ステップであって、
　データ処理装置が、入力部を介して受け取った使用者の入力に応答して、複写元領域を選択するステップと、
　データ処理装置が、入力部を介して受け取った使用者の入力に応答して、複写先領域を選択するステップと、
　データ処理装置が、複写元領域と複写先領域とを同一のグループ情報によりリンクづけるステップと、
　データ処理装置が、複写元領域の実データを複写先領域の実データアドレス位置にコピーするステップと、
　データ処理装置が、上記複写先領域を選択するステップ、上記リンクづけるステップ、上記コピーするステップを、１または複数回反復するステップと、
を含む領域複写ステップと、
　データ処理装置が、複写元領域の書式データが修正された際に、修正された複写元領域と同一のグループ情報に属する複写先領域を検出し、修正された複写元領域の書式データを、検出された各複写先領域にコピーするステップと、
を含む方法」の発明（以下、「引用文献１記載の発明」という。）が記載されている。
　
［引用文献２］
　次に、上記拒絶の理由に引用された、牧村あきこ、「活用術　エクセルＶＢＡ編　記録したマクロを編集する！」、日経ＰＣ２１、日経ＢＰ社、２０００年６月１日、第５巻、第１１号、ｐ．１４４−１４８（以下、「引用文献２」という。）には、図面と共に次の事項が記載されている。 
　
（カ）「エクセルで表を作り、そのまま文書として印刷するといった、ワープロ代わりの使い方をしている人は多い。」（第１４４頁第１欄第１乃至４行目）
　
（キ）「ここからの操作がマクロ記録の対象になる。「週間予定」シートのタブをクリックし、画面左上にある名前ボックスから「予定表」を選択する（図９）。該当するセル範囲が選択されるので、「Ｓｈｉｆｔ」キーを押しながら「編集」メニューをクリックし、「図のコピー」を選ぶ（図１０）。「図のコピー」という項目は、「Ｓｈｉｆｔ」キーを押しながらでないと表示されない。続けて開いた画面では、何も変更せずに「ＯＫ」ボタンを押す（図１１）。
　次にタブをクリックして「印刷用」シートに切り替え、図を貼り付ける位置の左上セルを選択、ツールバーの「貼り付け」ボタンを押す（図１２）。表が図として貼り付けられたら、改ページ線を目安にして表の大きさを調整する。」（第１４６頁第１欄第４行目乃至第１４７頁第１欄第２行目）
　
（ク）第１４４頁の図３，４には、エクセル上の作成書類として、文書が図示されている。
　
　上記引用文献２における「エクセル」（Ｅｘｃｅｌ）が、各次元に沿ったセル・アドレスによって識別される複数のセルを含み、セル範囲が１つまたは複数のセルを含む多次元スプレッドシートの作成ソフトであることは技術常識である。
　
　上記摘記事項（カ）乃至（ク）、図面、および、上記技術常識を総合すると、引用文献２には次の事項（以下、「技術事項１」という。）が記載されていると認められる。
　「多次元スプレッドシート作成装置が、領域複写機能を有するとともに、文書作成装置としての一面も備えること。」
　
　また、上記摘記事項（キ）および図面を総合すると、引用文献２には次の事項（以下、「技術事項２」という。）が記載されていると認められる。
　「ユーザによるコピー先領域へのコピー操作を、コピー元の領域選択、コピーコマンドの呼び出しおよび実行、コピー先の領域選択、貼り付けコマンドの呼び出しおよび実行、により行うこと。」
　
［引用文献３］
　次に、上記拒絶の理由に引用された、栗山恵吉　外２名、「Ｅｘｃｅｌ２０００ＶＢＡ　実践プログラミングリファレンス」、第１版、エーアイ出版株式会社、２０００年８月２０日、ｐ．７９−８６（以下、「引用文献３」という。）には、図面と共に次の事項が記載されている。 
　
（ケ）「２１　Ｃｏｐｙメソッド
　　　　　　セルをコピーする
　［構文］　Ｏｂｊｅｃｔ．Ｃｏｐｙ（Ｄｅｓｔｉｎａｔｉｏｎ）
　　　　　　　・・・中略・・・
　指定したセル範囲をコピーします。引数＜Ｄｅｓｔｉｎａｔｉｏｎ＞を省略した場合はクリップボードにコピーされ、＜Ｄｅｓｔｉｎａｔｉｏｎ＞を指定した場合には、クリップボードを介さずに別のセル範囲に内容が貼り付けられます。」（第７９頁）
　
（コ）「２３　Ｐａｓｔｅメソッド
　　　　　　セルに貼り付ける
［構文］Ｏｂｊｅｃｔ．Ｐａｓｔｅ（Ｄｅｓｔｉｎａｔｉｏｎ，Ｌｉｎｋ）
　　　　　　　・・・中略・・・
　
　引数を省略した場合、クリップボードの内容を指定したワークシートの選択範囲に貼り付けます。選択範囲以外に貼り付ける際には引数＜Ｄｅｓｔｉｎａｔｉｏｎ＞で貼り付け先を指定します。
　　　　　　　・・・中略・・・
　Ｓｕｂ　ＰａｓｔｅＳａｍｐ１（）
　　　Ｒａｎｇｅ（Ａ１）．Ｃｏｐｙ
　　　Ｒａｎｇｅ（Ｂ２：Ｂ７）．Ｓｅｌｅｃｔ　貼り付け先を選択する
　　　ＡｃｔｉｖｅＳｈｅｅｔ．Ｐａｓｔｅ−−−−−−（１）
　　　　　　　・・・中略・・・
　Ｅｎｄ　Ｓｕｂ
　
　（１）のステートメントは、選択範囲であるセルＢ２〜Ｂ７にＣｏｐｙメソッドでコピーしたセルＡ１の内容を貼り付けています。このステートメントの前に貼り付け先の選択が必要です。」（審決注：「（１）」の原文表記は○内に「１」が記載されたものである。）（第８２〜８３頁）
　
　上記摘記事項（コ）に記載されたサンプルプログラムにおける「Ｒａｎｇｅ（Ａ１）．Ｃｏｐｙ」は、上記摘記事項（ケ）から、セル範囲Ａ１の内容をクリップボードへコピーするステートメントであることが理解できる。また、「ＡｃｔｉｖｅＳｈｅｅｔ．Ｐａｓｔｅ」は、上記摘記事項（コ）から、選択範囲であるセルＢ２〜Ｂ７にクリップボードの内容を貼付けるステートメントであることが理解できる。さらに、クリップボードがバッファの一種であることは技術常識である。
　
　上記摘記事項（ケ）、（コ）、図面、および、技術常識を総合すると、引用文献３には次の事項（以下、「技術事項３」という。）が記載されていると認められる。
　「コピー元領域からコピー先領域へのコピーを、バッファを介して行うこと、および、コピーコマンドの実行によりコピー元領域からバッファへのコピーを、貼付けコマンドの実行によりバッファからコピー先領域へのコピーを行うこと。」
　
５．対比 
　本願発明と引用文献１記載の発明とを対比する。
　
（１）引用文献１記載の発明における「使用者」は、本願発明における「ユーザ」に相当する。
（２）引用文献１記載の発明における「入力部」は、本願発明における「ユーザ・インターフェース」に相当する。
（３）引用文献１記載の発明における各ステップの実行主体である「データ処理装置」は、本願発明における「システム」に相当する。
（４）引用文献１記載の発明における、複写元領域として選択されるデータ配置領域と、本願発明における「コピー元セル範囲」とは、ともにコピー元の領域（以下、「コピー元領域」という。）である点で共通する。
（５）引用文献１記載の発明における、複写先領域として選択されるデータ配置領域と、本願発明における「コピー先セル範囲」とは、ともにコピー先の領域（以下、「コピー先領域」という。）である点で共通する。
（６）引用文献１記載の発明における「データ処理装置が、入力部を介して受け取った使用者の入力に応答して、複写元領域を選択するステップ」と、本願発明における「システムが、ユーザ・インターフェースを介して受け取ったユーザ入力に応答して、コピー元セル範囲を選択するステップ」とは、ともに、システムが、ユーザ・インターフェースを介して受け取ったユーザ入力に応答して、コピー元領域を選択するステップである点で共通する。
（７）引用文献１記載の発明における「データ処理装置が、入力部を介して受け取った使用者の入力に応答して、複写先領域を選択するステップ」と、本願発明における「システムが、ユーザ・インターフェースを介して受け取ったユーザ入力に応答して、１つまたは複数のコピー先セル範囲を選択するステップ」とは、ともに、システムが、ユーザ・インターフェースを介して受け取ったユーザ入力に応答して、コピー先領域を選択するステップである点で共通する。
（８）引用文献１記載の発明における「データ処理装置が、複写元領域の実データを複写先領域の実データアドレス位置にコピーするステップ」と、本願発明における、「システムが、ユーザ・インターフェースを介して受け取ったユーザ入力に応答して、メモリから持続的コピーコマンドを呼び出し、当該持続的コピーコマンドを実行して、選択された前記コピー元セル範囲の内容をバッファにコピーするステップ」および「システムが、ユーザ・インターフェースを介して受け取ったユーザ入力に応答して、メモリから持続的貼付けコマンドを呼び出し、当該持続的貼付けコマンドを実行して、前記バッファにコピーされた内容を選択された前記コピー先セル範囲にコピーするステップ」からなるステップ群とは、ともに、システムが、コピー元領域の内容をコピー先領域へコピーするステップである点で共通する。
（９）引用文献１記載の発明における「データ処理装置が、複写元領域と複写先領域とを同一のグループ情報によりリンクづけるステップ」と、本願発明における「システムが、前記持続的貼付けコマンドの実行により前記コピー元セル範囲を前記コピー先セル範囲に関連づけるステップ」とは、ともに、システムが、コピー元領域とコピー先領域とを関連づけるステップである点で共通する。
（１０）そして、引用文献１記載の発明は、「データ処理装置が、上記複写先領域を選択するステップ、上記リンクづけるステップ、上記コピーするステップを、１または複数回反復する」から、「領域複写ステップ」において選択およびコピーが行われる複写先領域は１または複数であり、本願発明において、選択および持続的貼付け操作が行われるコピー先セル範囲が、１つまたは複数であることに対応する。
（１１）上記（１）〜（１０）を総合すると、引用文献１記載の発明における「領域複写ステップ」と、本願発明における、「持続的コピー操作を行うステップ」および「持続的貼付け操作を行うステップ」とからなるステップ群とは、ともに、ユーザ・インターフェースを介して受け取ったユーザ入力に応じたコピー元領域の選択、ユーザ・インターフェースを介して受け取ったユーザ入力に応じた１つまたは複数のコピー先領域の選択、各コピー先領域へのコピー、コピー元領域と各コピー先領域との関連づけ、の各ステップを含み、システムが、ユーザによる１または複数のコピー先領域へのコピー操作によりコピー元領域と各コピー先領域とを関連づけるステップである点で共通する。
（１３）引用文献１記載の発明においては、複写元領域の書式データが修正された際に、検出された同一グループ情報の各複写先領域へのコピーを行うから、複写元領域の書式データが更新されるたびにコピーを行うということができる。また、複写元領域の書式データを修正するだけで、換言すれば、使用者による複写指令を要することなく、各複写先領域へのコピーが実行されるから、引用文献１記載の発明の「データ処理装置が、複写元領域の書式データが修正された際に、修正された複写元領域と同一のグループ情報に属する複写先領域を検出し、修正された複写元領域の書式データを、検出された各複写先領域にコピーするステップ」は、複写元領域の書式データが更新されるたびにコピー操作を自動的に行うステップであるといえる。
（１４）引用文献１記載の発明における、複写元領域の書式データと、本願発明における、コピー元セル範囲の内容とは、ともに、更新されるたびにコピー先領域に自動的にコピーされる、コピー元領域の情報である点で共通する。
（１５）引用文献１記載の発明において、「修正された複写元領域と同一のグループ情報に属する複写先領域を検出」することは、複写元領域が１つ又は複数の複写先領域に関連づけられているか否かを判断することでもあるから、引用文献１記載の発明の「データ処理装置が、複写元領域の書式データが修正された際に、修正された複写元領域と同一のグループ情報に属する複写先領域を検出」することと、本願発明における、システムが、コピー元セル範囲の内容が更新されるたびに、コピー元セル範囲が１つまたは複数のコピー先セル範囲に関連づけられているか否かを判断することとは、ともに、システムが、コピー元領域の情報が更新されるたびに、前記コピー元領域がコピー先領域に関連づけられているか否かを判断する点で共通する。また、引用文献１記載の発明において、データ処理装置が「修正された複写元領域の書式データを、検出された各複写先領域にコピーする」ことと、本願発明において「コピー元セル範囲が１つまたは複数のコピー先セル範囲に関連づけられている場合、システムが、前記自動持続コピー貼付けコマンドの実行により前記コピー元セル範囲の内容を前記１つまたは複数の関連づけられたコピー先セル範囲にコピーする」こととは、ともに、コピー元領域がコピー先領域に関連づけられている場合、システムが、コピー元領域の情報を、関連づけられた各コピー先領域にコピーする点で共通する。
（１６）引用文献１記載の発明は、複写元領域の書式データを１または複数の複写先領域にコピーする動作を、入力部から領域複写指令が入力された際の一度限りではなく、その後、複写元領域が修正された際にも自動的に行うから、複写元領域の書式データを１または複数の複写先領域に「持続的」にコピーする方法の発明であるといえる。また、複写元領域から複写先領域へのコピー動作は、詳細には、複写元領域からの情報読み出し（コピー）動作と、複写先領域への書き込み（貼付け）動作を含むから、「コピーする」は「コピーおよび貼付けする」と言い換えることができる。
　
　したがって、本願発明と引用文献１記載の発明とは、 
（一致点） 
　コピー元領域の情報を１つまたは複数のコピー先領域に持続的にコピーおよび貼付けする方法であって、
　ユーザ・インターフェースを介して受け取ったユーザ入力に応じたコピー元領域の選択、ユーザ・インターフェースを介して受け取ったユーザ入力に応じた１つまたは複数のコピー先領域の選択、各コピー先領域へのコピー、コピー元領域と各コピー先領域との関連づけ、の各ステップを含み、システムが、ユーザによる１または複数のコピー先領域へのコピー操作によりコピー元領域と各コピー先領域とを関連づけるステップと、
　システムが、前記コピー元領域の情報が更新されるたびに、前記コピー元領域がコピー先領域に関連づけられているか否かを判断するステップと、
　前記判断するステップにおいて、前記コピー元領域がコピー先領域に関連づけられている場合、システムが、前記コピー元領域の情報を、前記関連づけられた各コピー先領域にコピーするステップと、
　を含む前記コピー元領域の情報が更新されるたびにコピー操作を自動的に行うステップとを含む、方法」の発明である点、
で一致し、下記の点で相違する。 
　
（相違点１） 
　本願発明は、適用対象が「各次元に沿ったセル・アドレスによって識別される複数のセルを含み、セル範囲が１つまたは複数のセルを含む多次元スプレッドシート」であり、コピー元，コピー先の領域がセル範囲であるのに対し、引用文献１記載の発明では、適用対象がワードプロセッサやパーソナルコンピュータ等のデータ処理装置であり、コピー元，コピー先の領域はデータ配置領域である点。 
　
（相違点２） 
　ユーザによる１または複数のコピー先領域へのコピー操作によりコピー元領域と各コピー先領域とを関連づけるステップにおける、ユーザによるコピー操作が、本願発明では、コピー元領域の選択、持続的コピーコマンドのメモリからの呼び出しおよび実行、コピー先領域の選択、持続的貼付けコマンドのメモリからの呼び出しおよび実行、により行われるのに対し、引用文献１記載の発明では、領域複写指令、複写元領域選択、複写先領域選択、により行われる点。
 　 
（相違点３） 
　本願発明は、コピー元領域からコピー先領域へのコピーがバッファを介して行われるものであり、持続的コピーコマンドの実行によりコピー元セル範囲からバッファへのコピーが、持続的貼付けコマンドの実行によりバッファからコピー先セル範囲へのコピーが行われるのに対し、引用文献１記載の発明はそのようなものではない点。 
　
 (相違点４)
　コピー元領域と各コピー先領域との関連づけが、本願発明では持続的貼付けコマンドの実行により行われるのに対し、引用文献１記載の発明はそうではない点。
　
（相違点５） 
　更新されるたびにコピー先領域に自動的にコピーされる、コピー元領域の情報が、本願発明では「内容」であるのに対し、引用文献１記載の発明では「書式データ」である点。
　
（相違点６）
　コピー元領域が更新されるたびに自動的に行われるコピー操作が、本願発明では自動持続コピー貼付けコマンドのメモリからの呼び出しおよび実行により実現されるのに対し、引用文献１記載の発明では、そのようなコマンドにより実現されるものではない点。
　
６．判断 
　そこで、上記相違点について判断する。 
（相違点１について） 
　引用文献１記載の発明は、適用対象の一つとして文書作成装置が想定されている。ところで、例えば、マイクロソフト社のソフトウェア製品である、多次元スプレッドシート作成ソフト「Ｅｘｃｅｌ」と文書作成ソフト「Ｗｏｒｄ」とが「Ｏｆｆｉｃｅ」としてソフトウェアスイート化されているように、多次元スプレッドシート作成ソフトと文書作成ソフトとは、ともにオフィス業務に必要なソフトウェアとして密な関係を有するものであり、しかも、引用文献２の技術事項１にあるように、多次元スプレッドシート作成装置は、領域複写機能を有するとともに、文書作成装置としての一面も備えることは明らかである。そうすると、引用文献１記載の発明の適用対象として、文書作成装置と密な関係を有し、領域複写機能を備え、文書作成装置としての一面も備える多次元スプレッドシートを想到することは、当業者にとって容易に為し得ることと認められる。そして、多次元スプレッドシートでの複写対象領域は一般にセル範囲であるから、コピー元，コピー先の領域をセル範囲とすることは、多次元スプレッドシートを適用対象とすることに伴う自明な変更である。
　したがって、引用文献１記載の発明において、適用対象を「各次元に沿ったセル・アドレスによって識別される複数のセルを含み、セル範囲が１つまたは複数のセルを含む多次元スプレッドシート」とし、コピー元，コピー先の領域をセル範囲とすることは、当業者が容易に想到し得たことである。
 　 
（相違点２について） 
　ユーザによるコピー先領域へのコピー操作を、コピー元の領域選択、コピーコマンドの呼び出しおよび実行、コピー先の領域選択、貼り付けコマンドの呼び出しおよび実行、により行うことは、引用文献２に技術事項２として記載されているように、本願出願前よりよく知られたことである。そして、複写元領域と複写先領域との間で関連づけを行う複写操作コマンドを、従来のコピー／貼り付けコマンドとは別に「持続的」コピー／貼り付けコマンドとして設けることも、周知事項である、「貼り付け」コマンドとは別に「形式を選択して貼り付け」（引用文献３の第８４頁参照。）コマンドを設けることと同様に、当業者が容易に為し得ることである。なお、コマンドがメモリから呼び出されることは技術常識である。
　したがって、引用文献１記載の発明において、ユーザによるコピー先領域へのコピー操作を、コピー元領域の選択、持続的コピーコマンドのメモリからの呼び出しおよび実行、コピー先領域の選択、持続的貼付けコマンドのメモリからの呼び出しおよび実行、により行うものとすることは、当業者が容易に想到し得たことである。
  
（相違点３について） 
　引用文献３に技術事項３として記載されているように、
（１）コピーをバッファを介して行うこと、
（２）バッファを介し、コピー／貼付けコマンドを用いてコピーを行う場合の動作は、一般に、コピーコマンドの実行によりコピー元領域からバッファへのコピーを行い、貼付けコマンドの実行によりバッファからコピー先領域へのコピーを行う、であること、
は、本願出願前より周知である。
　そして、上記（相違点２について）で検討したとおり、コピー操作を、持続的コピーコマンドと持続的貼付けコマンドとを用いて行うことは、当業者が容易に想到し得たことであるから、引用文献１記載の発明において、コピーをバッファを介して行い、持続的コピーコマンドの実行によりコピー元セル範囲からバッファへのコピーを、持続的貼付けコマンドの実行によりバッファからコピー先セル範囲へのコピーを行うものとすることは、当業者が容易に想到し得たことである。
 　 
（相違点４について）
　引用文献１記載の発明において、関連づけ動作と複写先領域へのコピー動作とが１セットの処理であることは、引用文献１の上記摘記事項（ウ）の「ある領域内容を複写する毎に、複写元領域と複写先領域とを対応付けるグループ情報を自動的に設定することによってグループ化するようにしてもよい。」（第【０００４】段落記載）との記載から容易に理解できることである。したがって、コピー先セル範囲へのコピーを行う持続的貼付けコマンドが、関連づけ動作をも行うよう構成することは、当業者が容易に想到し得たことである。
　
（相違点５について） 
　コピー対象には書式の他、数式、値、コメント、入力規則等、種々のものがあることはよく知られており（引用文献３（特に、第８４及び８５頁）を参照。）、具体的にどの情報をコピー対象とするかは、複写元における如何なる更新を複写先にも自動反映させたいかを考慮の上、当業者が適宜選択し得る設計的事項である。なお、書式データも内容の一つと解することもできる。 
　したがって、引用文献１記載の発明において、更新されるたびにコピー先領域に自動的にコピーされるコピー元領域の情報を、コピー元領域の「内容」とすることは、当業者が容易に想到し得たことである。
　
（相違点６について）
　計算機の技術分野において、所定の処理を実行するプログラムをコマンドとして用意しておき、必要時に計算機が該コマンドをメモリから呼び出して実行する構成により所定処理の実行を実現することは、本願出願前より周知である。したがって、コピー操作を実行するプログラムを自動持続コピー貼付けコマンドとして用意し、コピー元領域が更新されるたびにデータ処理装置が当該コマンドをメモリから呼び出して実行する構成により、コピー元領域が更新されるたびの自動的なコピー操作を実現することは、上記周知技術に基いて当業者が容易に想到し得たことである。
　
　また、本願発明の効果は、引用文献１乃至３に記載された事項から当業者が予測できる範囲のものである。 
　したがって、本願発明は、引用文献１乃至３に記載された発明、および、周知技術に基いて、当業者が容易に発明をすることができたものである。 
 　 
７．むすび 
　以上のとおり、本願発明は、引用文献１乃至３に記載された発明、および、周知技術に基いて、当業者が容易に発明をすることができたものであるから、特許法２９条２項の規定により特許を受けることができない。 
　したがって、本願は、他の請求項について検討するまでもなく、拒絶されるべきものである。 
　よって、結論のとおり審決する。